(57)【要約】【課題】卓上設置時及び壁掛け時の双方で端末装置本体を安定して支持することができ、かつ壁掛け時における出っ張りや部材の小型化を図ることができる端末装置の設置部材を提供する。【解決手段】基板上に対向して形成した一対の凸部であって対向間隔が端末装置本体の幅に対応する側壁部と、側壁部間の基板上に形成され、端末装置本体に設けた係合部と係合して端末装置を支持固定する第１係合部と、側壁部の上面に形成され、端末装置本体に設けた係合部と係合して端末装置を支持固定する第２係合部とを備える。【選択図】図４
2007122619.tif 000002
【特許請求の範囲】
【請求項１】
基板上に対向して形成した一対の凸部であって対向間隔が端末装置本体の幅に対応した側壁部と、
前記側壁部間の基板上に形成され、前記端末装置本体に設けた係合部と係合して前記端末装置を支持固定する第１係合部と、
前記側壁部の上面に形成され、前記端末装置本体に設けた係合部と係合して前記端末装置を支持固定する第２係合部とを備えた端末装置の設置部材。
【請求項２】
設置部材の第１係合部は、梁の端部に突起部を有する片持ち梁状の係合部を備え、
端末装置本体の係合部は、前記第１係合部の梁を内部に収納可能な収納部と、前記収納部に前記第１係合部の梁を挿入する挿入孔部と、前記挿入孔部を介して挿入された前記第１係合部の梁の突起部が前記収納部内から嵌合する嵌合孔部とを備え、
前記第１係合部の梁の突起部を前記嵌合孔部に嵌合させて端末装置を支持固定することを特徴とする請求項１記載の端末装置の設置部材。
【請求項３】
端末装置本体の係合部は、梁の端部に突起部を有する片持ち梁状の係合部を備え、
設置部材の第１係合部は、前記係合部の梁を内部に収納可能な収納部と、前記収納部に前記係合部の梁を挿入する挿入孔部と、前記挿入孔部を介して挿入された前記係合部の梁の突起部が前記収納部内から嵌合する嵌合孔部とを備え、
前記梁の突起部を前記第１係合部の嵌合孔部に嵌合させて端末装置を支持固定することを特徴とする請求項１記載の端末装置の設置部材。
【請求項４】
設置部材の第１係合部は、端末装置本体に設けられ、側壁部間の対向間隔に対応する幅を有する凸部に形成された係合部と係合して端末装置を支持固定することを特徴とする請求項１から請求項３のうちのいずれか１項記載の端末装置の設置部材。
【請求項５】
設置部材の第２係合部は、側壁部の上面に突出して形成された鍵状の係合部と突起部とを備え、
端末装置本体の係合部は、係合孔を備え、
前記係合孔の開口内縁部に前記第２の係合部の鍵状の係合部又は前記突起部を当接させて端末装置を支持固定することを特徴とする請求項１から請求項４のうちのいずれか１項記載の端末装置の設置部材。
【請求項６】
設置部材の第２係合部は、係合孔を備え、
端末装置本体の係合部は、前記端末装置本体の外面に突出して形成された鍵状の係合部と突起部とを備え、
前記第２係合部の係合孔の開口内縁部に前記鍵状の係合部又は前記突起部を当接させて端末装置を支持固定することを特徴とする請求項１から請求項４のうちのいずれか１項記載の端末装置の設置部材。
【発明の詳細な説明】
【技術分野】
【０００１】
この発明は、通信端末等の端末装置の設置部材に係り、特に卓上設置と壁掛け設置の双方を行うことができる端末装置の設置部材に関するものである。
【背景技術】
【０００２】
従来の卓上設置と壁掛け設置の双方を行うことができる端末装置の設置部材としては、例えば特許文献１に開示されるものがある。この設置部材は、端末装置であるオプション機器の収容空間を有するＬ字型の架台から構成される。この架台は、オプション機器を収容して卓上に設置することが可能であり、また壁に沿った側壁部を壁にねじ止めすることによりオプション機器を収容した状態で壁掛け設置が可能である。
【０００３】
【特許文献１】特許第３０１９９２７号公報
【発明の開示】
【発明が解決しようとする課題】
【０００４】
従来の設置部材は、架台のＬ字型の一辺にオプション機器の収容空間が設けられ、もう一方の辺に沿ってオプション機器を挿入して上記収容空間に収める。従って、壁掛け時において、架台が不可避的に上記収容空間の分だけ壁から飛び出た状態になり、かつ飛び出た架台でオプション機器の本体下部を支える状態になる。このため、例えば地震等により機械的な衝撃が架台に加わると、Ｌ字型の架台に収納されているオプション機器が、脱落して落下する恐れがあるという課題があった。
【０００５】
この発明は、上記のような課題を解決するためになされたもので、地震等による衝撃が加わっても卓上設置時及び壁掛け時の双方で端末装置本体を安定して支持することができ、かつ壁掛け時における壁側からの出っ張りや部材の小型化を図ることができる端末装置の設置部材を得ることを目的とする。
【課題を解決するための手段】
【０００６】
この発明に係る端末装置の設置部材は、基板上に対向して形成した一対の凸部であって対向間隔が端末装置本体の幅に対応する側壁部と、側壁部間の基板上に形成され、端末装置本体に設けた係合部と係合して端末装置を支持固定する第１係合部と、側壁部の上面に形成され、端末装置本体に設けた係合部と係合して端末装置を支持固定する第２係合部とを備えるものである。
【発明の効果】
【０００７】
この発明によれば、基板上に対向して形成した一対の凸部であって対向間隔が端末装置本体の幅に対応する側壁部と、側壁部間の基板上に形成され、端末装置本体に設けた係合部と係合して端末装置を支持固定する第１係合部と、側壁部の上面に形成され、端末装置本体に設けた係合部と係合して端末装置を支持固定する第２係合部とを備えるので、卓上設置時及び壁掛け設置時の双方で端末装置本体を安定して設置することができるという効果がある。また、卓上設置又は壁掛け設置に使用される第１係合部及び第２係合部が、基板の上面に対して異なる高さの部位にそれぞれ形成されることから、設置部材の小型化を図ることができるという効果がある。さらに、第２係合部を壁掛け用の係合部として使用すれば、壁掛け設置時における壁面からの出っ張りは、端末装置本体の幅と側壁部の高さ分程度であり、従来と比較して出っ張りを最小限に抑えることができる。
【発明を実施するための最良の形態】
【０００８】
実施の形態１．
図１は、この発明の実施の形態１による端末装置の設置アダプタを示す図であり、（ａ）は端末装置から見た正面図であり、（ｂ）は側面図、（ｃ）は背面図である。図のように、本実施の形態１による設置アダプタ（設置部材）１は、端末装置の本体２の底面に取り付けられて卓上設置を実現し、また設置アダプタ１を壁に取り付けて端末装置本体２の背面と係合させることにより壁掛け設置が実現される。
【０００９】
図２は、実施の形態１による設置アダプタを取り付けた端末装置の卓上設置時の斜視図である。図に示すように、端末装置の本体２の底面に設けた係合部と設置アダプタ１の係合部とを係合させて支持固定し、設置アダプタ１をスタンドとして端末装置本体２が卓上に設置される。また、図１（ｂ）や図２に示すように、本実施の形態１の設置アダプタ１は、卓上設置時に使用する係合部と端末装置本体２の係合部とを係合させた状態で、後述する側壁部に設けたねじ穴を介してねじ止めすることができる。これにより、端末装置の設置箇所がねじ止めを許容する場所であれば、設置アダプタ１をねじ止めすることでさらに安定した卓上設置を実現できる。
【００１０】
図３は、実施の形態１による設置アダプタを取り付けた端末装置の壁掛け時の斜視図であり、壁を透かして壁側から見た図である。図に示すように、端末装置の本体２の背面に設けた係合部と設置アダプタ１の係合部を係合させて固定し、設置アダプタ１を介して壁掛け設置される。設置アダプタ１は、図のように３つのねじ穴を有しており、これらねじ穴を介してねじ止めすることにより壁に固定される。
【００１１】
上述した設置アダプタ１の３つのねじ穴は、図１（ｃ）や図３に示すように、壁掛け時に上に凸の三角形を形成する頂点位置にそれぞれ配置される。これは、壁掛け時において、設置アダプタ１側の係合部に対して、端末装置本体２を下方にスライドさせて係合固定させるため、係合させる際、設置アダプタ１の上方に端末装置本体２の重さによる力が強くかかる。このため、例えば下に凸の三角形を形成する頂点位置に配置した３つのねじ穴を配置した場合、壁掛け時に設置アダプタ１の上方部分が下方に撓む可能性がある。
【００１２】
そこで、実施の形態１による設置アダプタ１では、壁掛け時に上に凸の三角形を形成する頂点位置に３つのねじ穴を配置してねじ止め固定する。これにより、壁掛け設置時に設置アダプタ１が下方に撓むようなことがなく、最小限のねじ止め箇所で安定して固定することができ、設置アダプタ１のサイズの小型化も図ることができる。
【００１３】
図４は図１中の設置アダプタの斜視図であり、図５は図１中の設置アダプタの上面図である。図４に示すように、設置アダプタ１は、円盤状の基板上の対向する位置に設けた２つの凸部からなる側壁部１ａ，１ａを有し、側壁部１ａ，１ａの各対向面には、段差１ｂ，１ｂがそれぞれ形成されている。これら側壁部１ａ，１ａの段差１ｂ，１ｂ上段の間隔は端末装置本体２の幅に対応しており、例えば端末装置本体２の幅と略同一である。係合部（第１係合部）４は、側壁部１ａ，１ａ間の基板上に形成され、梁の先端に突起部を有する片持ち梁状の係合部であり、本実施の形態１では端末装置本体２を卓上設置する際に使用される。
【００１４】
卓上設置時において、側壁部１ａ，１ａにより基板上に形成される凹所に端末装置本体２をはめ込み、段差１ｂ，１ｂ上をスライドさせることにより、複雑な位置決め操作を要さずに、側壁部１ａ，１ａ間の係合部４と端末装置本体２の底面の係合部とを簡単に係合させることができる。なお、詳細な係合構造について後述する。
【００１５】
また、側壁部１ａの上面には、図４及び図５に示すように、２つのねじ穴６が形成され、当該上面から突出する係合部５及び突起部７が形成される。このように、側壁部１ａ，１ａにそれぞれねじ穴６，６を設けることにより、卓上設置時の係合が完了した状態においてもねじ止めすることが可能である。係合部（第２係合部）５は、側壁部１ａの上面から突出するように形成された鍵状の係合部であり、本実施の形態１では端末装置本体２を壁掛け設置する際に使用される。突起部（第２係合部）７も、側壁部１ａの上面から突出するように形成され、壁掛け設置時に使用される。詳細な係合構造については後述する。
【００１６】
図６は、図５中のＣ−Ｃ線で切断した設置アダプタの断面図であり、壁掛け時における状態を示している。図６に示すように、係合部５及び突起部７は、側壁部１ａの上面に対して突出している。また、係合部４は、側壁部１ａの上面に対して突出しないように、設置アダプタ１の基板上で側壁部１ａの上面より下方の位置に形成される。ねじ穴６は、ねじ８の頭の径に略等しい穴が側壁部１ａの上面からねじ止めした際に少なくともねじ頭が隠れる深さまで形成されており、さらにねじ部分を通す穴が基板を貫通している。このようにねじ穴６を構成にしたことにより、壁にねじ止めしたときのねじ８が端末装置本体２と接触する等の物理的な干渉することを回避できる。
【００１７】
また、係合部４、係合部５及び突起部７を形成する部位の基板上面に対する高さ関係を、上述のような関係としたことにより、端末装置本体２を卓上設置又は壁掛け設置するにあたり、係合部４と係合部５とが互いに干渉、即ち端末装置本体２と係合部４とを係合させる際に係合部５が端末装置本体２に接触する等して係合が妨げられるような干渉が起こることがない。例えば、係合部４、係合部５及び突起部７に相当する係合部を基板上面に対して同一の高さ関係、つまり同一面上に形成すると、卓上又は壁掛けでそれぞれ専用の係合部を形成する領域を設ける必要がある。これに対し、本実施の形態１では、上述のような高さ関係で係合部を形成することで、設置アダプタ１の２次元的なサイズ拡大を抑えることができ、小型化を図ることができる。
【００１８】
図７は、実施の形態１による設置アダプタの壁掛け時の係合構造を示す図であり、図１（ｃ）のＴＡ−ＴＡ線で切った係合構造部の断面を示している。図７において、符号Ａを付した円で囲んだ部分が、設置アダプタ１の壁掛け時の係合構造を示している。この係合構造では、設置アダプタ１に設けた係合部５を、端末装置本体２の背面に設けた係合孔１０に挿入して係合させる。なお、係合孔１０には、縁部１０ｂが形成されており、壁掛け設置時に端末装置本体２を下方にスライドさせると、係合部５の側面部が縁部１０ｂに当接して、これに沿ってスライドする。最終的な固定位置に達すると、設置アダプタ１の側壁部１ａの上面に設けた突起部７が係合孔１０内に入り、係合部５の鍵状部位が係合孔１０の縁部１０ｃと当接した状態になる。
【００１９】
また、図８は、実施の形態１による設置アダプタの卓上設置時の係合構造を示す図であり、図１（ｂ）のＴＢ−ＴＢ線で切った係合構造部の断面を示している。図８において、符号Ｂを付した円で囲んだ部分が、設置アダプタ１の卓上設置時の係合構造を示している。端末装置本体２の底面部には、設置アダプタ１の係合部４を挿入する孔部（挿入孔部）９ｂと、端末装置本体２の内側で孔部９ｂと孔部（収納部）９により繋がった孔であって係合部４の梁の先端に設けた突起部４ａが内側から嵌合する孔部（嵌合孔部）９ａとが、係合部として形成されている。
【００２０】
この係合構造では、設置アダプタ１の係合部４を、端末装置本体２の孔部９ｂを介して孔部９に挿入し、設置アダプタ１又は端末装置本体２をスライドさせて最終的な固定位置で係合部４の梁先端に形成した突起部４ａが端末装置本体２の内側から孔部９ａに嵌合する。つまり、孔部９は係合部４の梁状の爪を収納する収納部として機能し、この内部に係合部４の梁先端の突起部４ａを摺動させて係止位置で嵌合用の孔部９ａに嵌合させる。
【００２１】
図９は、実施の形態１による設置アダプタの卓上設置過程を示す図であり、図１（ｂ）のＴＢ−ＴＢ線で切った係合構造部の断面について設置手順（ａ）から（ｃ）までを逐次示している。図１０は、端末装置本体の底面に形成した係合孔部を示す図であり、図１１は、図９中の設置アダプタの卓上設置過程について係合構造部を拡大して示す図であり、図８中の符号Ｂを付した円領域の拡大図である。これらの図に沿って、実施の形態１の設置アダプタ１による端末装置の卓上設置を説明する。
【００２２】
先ず、図９（ａ）や図１１（ａ）に矢印で示すように、設置アダプタ１の側壁部１ａ，１ａ間に端末装置本体２をはめ込み、端末装置本体２の下面部が段差１ｂ，１ｂ上にのった状態にすると、設置アダプタ１の係合部４は、端末装置本体２の底面部に設けた孔部９ｂに挿入される。つまり、段差１ｂは、図１１（ｂ）に示すように、端末装置本体２を側壁部１ａの段差１ｂ上にのせると、孔部９ｂから挿入された係合部４の梁部分が孔部９内に位置する高さに設定される。また、孔部９ｂは、図１１（ａ）に示すように、係合部４を挿入できるサイズに開口しており、図１０に示すように、係合部４の梁先端に設けた突起部４ａが嵌合する孔部９ａと並んで形成される。
【００２３】
次に、設置アダプタ１の側壁部１ａ，１ａ間に端末装置本体２をはめ込んだ状態で、例えば設置アダプタ１を図９（ｂ）や図１１（ｂ）中に矢印で示す方向にスライドさせることにより、係合部４の梁先端に設けた突起部４ａが孔部９ｂの縁部に接触し、さらにスライドさせることにより、係合部４の梁部分が撓んで突起部４ａが孔部９ｂと孔部９ａの間の仕切りとなる底面部９ｃにのりあがる。この状態でさらにスライドさせることにより、突起部４ａが底面部９ｃ上に当接しながら孔部９ａ方向に移動する。
【００２４】
この後、突起部４ａが孔部９ａに達すると、突起部４ａと底面部９ｃとの当接状態が解放され、図９（ｃ）や図１１（ｃ）中に矢印で示すように、突起部４ａが孔部９ａに嵌合する。これにより、係合が完了する。なお、実際にはスライドさせる距離は短いので、設置アダプタ１の側壁部１ａ，１ａ間に端末装置本体２をスライドさせるのとほぼ同時に係合部４の突起部４ａが端末装置本体２の孔部９ａに嵌合して支持固定される。これにより、設置アダプタ１や端末装置本体２が、図９（ｂ）や図１１（ｂ）中に矢印で示す方向の前後に動くことが規制され、安定した卓上設置を実現することができる。
【００２５】
続いて、実施の形態１の設置アダプタ１による端末装置の壁掛け設置を説明する。
図１２は、実施の形態１による設置アダプタの壁掛け設置過程を示す図であり、図１（ｃ）のＴＡ−ＴＡ線で切った係合構造部の断面について設置手順（ａ）から（ｃ）までを時系列に示している。図１３は、図１２中の実施の形態１による設置アダプタの卓上設置過程について係合構造部を拡大して示す図であり、図７中の符号Ａを付した円領域の拡大図である。これらの図に沿って、実施の形態１の設置アダプタ１による端末装置の壁掛け設置を説明する。
【００２６】
先ず、図１２（ａ）や図１３（ａ）に矢印で示すように、設置アダプタ１の係合部５を、端末装置本体２の背面部に設けた係合孔１０に挿入する。なお、設置アダプタ１は、上述したねじ穴３，６を介して予め壁にねじ止めしておく。係合部５が係合孔１０に完全に挿入されると、係合部５の側面部が縁部１０ｂに当接する。この状態で、端末装置本体２を下方にスライドさせると、係合部５が、図１２（ｂ）や図１３（ｂ）に矢印で示す方向に相対的に縁部１０ｂに沿ってスライドする。
【００２７】
この状態でさらにスライドさせていくと、側壁部１ａの上面上に形成した突起部７が、係合孔１０の外周部に当接する。係合孔１０は、図１３に示すように、端末装置本体２の背面から突出しており、その外周部は可撓性を有する。さらに具体的に説明すると、係合孔１０の外周部は、図１３に示す断面からわかるように、図１３（ｂ）中の矢印方向に対してスロープを形成している。このため、当該矢印方向へのスライドが進むと、突起部７が係合孔１０の外周部のスロープに沿って移動し、徐々に外周部を撓ましていく。
【００２８】
そして、最終的な係止位置に達すると、突起部７が、係合孔１０の縁部１０ａを超えて図１２（ｃ）や図１３（ｃ）に示すように係合孔１０内に入る。このとき、係合部５の鍵状部位は、係合孔１０の縁部１０ｃに当接した状態になる。なお、端末装置本体２の背面から係合孔１０を突出させる高さは、図１３に示すように、係合部５の鍵状部位の下面が係合孔１０の外周部内壁に当接し、係合孔１０の外周部の外壁が側壁部１ａの上面に当接する高さに設定する。このように設定することで、係合完了した端末装置本体２が前後にぶれることがない。
【００２９】
上述した一連の動作において実際にはスライドさせる距離が短いので、設置アダプタ１の係合部５を係合孔１０に挿入して端末装置本体２をスライドさせるのとほぼ同時に係合部５の鍵状部位と突起部７とが係合孔１０内に入り、係合部５の鍵状部位又は係合孔１０の縁部１０ｃとが係合して固定される。例えば、係合操作時のような係合孔１０の外周部のスロープのような移動をアシストする構成がないことから、突起部７は、一旦係合孔１０の開口内に入ると、図１３（ｂ）中の矢印方向への力が働いても、係合孔１０の縁部１０ａに当接して端末装置本体２を係止する。これにより、設置アダプタ１や端末装置本体２が、図１２（ｂ）や図１３（ｂ）中に矢印で示す方向の上下に動くことが規制され、安定した壁掛け設置を実現できる。
【００３０】
以上のように、この実施の形態１によれば、基板上に対向して形成した一対の凸部であって対向間隔が端末装置本体２の幅に対応する側壁部１ａと、側壁部１ａ，１ａ間の基板上に形成され、端末装置本体２に設けた係合部と係合して端末装置を支持固定する係合部４と、側壁部１ａの上面に形成され、端末装置本体２に設けた係合部と係合して端末装置を支持固定する係合部５及び突起部７とを備えるので、端末装置の卓上設置時及び壁掛け時の双方で端末装置本体２を安定して設置することができ、設置アダプタ１の小型化も図ることができる。
【００３１】
さらに、実施の形態１のように係合部５及び突起部７を壁掛け用の係合部として使用すれば、壁掛け設置時における壁面からの出っ張りが、端末装置本体２の幅と側壁部１ａの高さ分程度であり、従来と比較して出っ張りを最小限に抑えることができる。なお、側壁部１ａは、ねじ穴６を介してねじ止めした際にねじ８の頭が隠れる深さを維持でき、係合部４が側壁部１ａの上面から突出しない高さであればよい。
【００３２】
また、上記実施の形態１によれば、卓上設置時において、端末装置本体２を設置アダプタ１の側壁部１ａ，１ａの間にはめ込み、側壁部１ａ，１ａに沿って設置アダプタ１又は端末装置本体２をスライドさせることで、設置アダプタ１側の係合部と端末装置本体２側の係合部とをスムーズに係合させることができる。
【００３３】
さらに、上記実施の形態１によれば、卓上設置時に使用する係合部４を側壁部１ａ，１ａ間の基板上に形成し、壁掛け設置時に使用する係合部５や突起部７を側壁部１ａの上面から突出して形成したので、卓上設置時と壁掛け設置時とで互いの係合部が物理的に干渉することがない。このため、例えば設置アダプタ１の最上面に位置する係合部５及び突起部７に端末装置本体２の係合部である係合孔１０を係合させるだけで容易に壁掛け設置することができる。
【００３４】
なお、上記実施の形態１では、端末装置本体２の底面に卓上設置専用の係合孔、及び端末装置本体２の背面に壁掛け設置専用の係合孔を設ける例を示したが、他の用途で本体２の外周面に孔部を形成している場合、この孔部を卓上設置と壁掛け設置の係合孔にそれぞれ兼用するようにしても良い。例えば、端末装置の放熱用にその外周面に多数設けた孔部のいずれかを利用して卓上設置と壁掛け設置の係合孔を形成しても良い。このようにすることによって、端末装置本体２の外周面に形成する孔部の数を増やすことなく、確実な係合を実現することができ、意匠性も良好となる。
【００３５】
また、上記実施の形態１では、設置アダプタ１に片持ち梁状や鍵状の係合部を形成し、端末装置本体２側に係合孔を形成する例を示したが、設置アダプタ１側に係合孔、端末装置本体２の外周面に片持ち梁状や鍵状の係合部を設けてもよい。例えば、端末装置本体２の底面部に、係合部４と同様な構成を有する梁の端部に突起部を形成した片持ち梁状の係合部を形成する。そして、設置アダプタ１側には、側壁部１ａ，１ａ間の基板上に、前記係合部が挿入される孔部と、当該孔部と側壁部１ａ，１ａ間の基板の内部側で繋がる孔であって、前記孔部に挿入された梁の突起部が側壁部１ａ，１ａ間の基板の内部側から嵌合する孔部９ａと同様に機能する嵌合孔部とを係合部として形成する。
【００３６】
この他、端末装置本体２側に係合部５と同様に機能する係合部として、端末装置本体２の外面に突出して鍵状の係合部と突起部とを形成する。これに対応して、設置アダプタ１側に、側壁部１ａの上面に設けた孔であって、上述した鍵状の係合部や突起部がその開口の内縁部に当接して端末装置本体２を支持固定する係合孔１０と同様に機能する係合孔を形成する。これらのように構成しても、上記実施の形態１と同様の効果を得ることができる。
【００３７】
また、上記実施の形態１では、側壁部１ａ，１ａ間に係合部４を形成し、側壁部１ａの上面に係合部５及び突起部７を形成する構成を示したが、側壁部１ａ，１ａ間に係合部５及び突起部７を形成して端末装置本体の底面部に係合孔１０を設け、側壁部１ａの上面に係合部４を形成して端末装置本体の背面部に孔部９，９ａ，９ｂを設けてもよい。このように構成しても、上記実施の形態１と同様の効果を得ることができる。
【００３８】
図１４は、端末装置本体の背面に設ける係合部の他の構成例を示す図である。図１４に示すように、設置アダプタ１の側壁部１ａ，１ａ間に対応する幅、例えば側壁部１ａ，１ａ間の間隔と略同一幅の中空の凸部１１を端末装置本体２の背面部に設け、上記実施の形態１で卓上設置用として説明した孔部９ａ，９ｂを、凸部１１の上面部に設ける。または、凸部１１に係合部４と同様に機能する係合部を設け、設置アダプタ１の側壁部１ａ，１ａ間の基板に孔部９ａ，９ｂと同様に機能する孔部を設ける。このように構成することにより、卓上設置時の係合部と壁掛け時の係合部を共通に用いることができ、設置アダプタ１の共通化を図ることができる。
【００３９】
なお、本発明による設置アダプタ１の係合部は、上記実施の形態１で説明した構造に限定されるものではなく、卓上設置時において端末装置本体２の底面と設置アダプタ１の側壁部１ａ，１ａ間の基板面とが接触する状態で端末装置を安定して支持固定でき、壁掛け時において端末装置本体２の背面と設置アダプタ１の側壁部１ａ，１ａの上面とが接触して設置アダプタ１に対する端末装置本体２の出っ張りが最小限（例えば、設置アダプタ１の高さ分と端末装置本体の幅分）に抑えられる係合構造であればよい。
【図面の簡単な説明】
【００４０】
【図１】この発明の実施の形態１による端末装置の設置アダプタを示す図である。
【図２】実施の形態１による設置アダプタを取り付けた端末装置の卓上設置時の斜視図である。
【図３】実施の形態１による設置アダプタを取り付けた端末装置の壁掛け時の斜視図である。
【図４】図１中の設置アダプタの斜視図である。
【図５】図１中の設置アダプタの上面図である。
【図６】図５中のＣ−Ｃ線で切断した設置アダプタの断面図である。
【図７】実施の形態１による設置アダプタの壁掛け時の係合構造を示す図である。
【図８】実施の形態１による設置アダプタの卓上設置時の係合構造を示す図である。
【図９】実施の形態１による設置アダプタの卓上設置過程を示す図である。
【図１０】端末装置本体の底面に形成した係合孔を示す図である。
【図１１】図９中の設置アダプタの卓上設置過程について係合構造部を拡大して示す図である。
【図１２】実施の形態１による設置アダプタの壁掛け設置過程を示す図である。
【図１３】図１２中の設置アダプタの卓上設置過程について係合構造部を拡大して示す図である。
【図１４】端末装置本体の背面に設ける係合部の他の構成例を示す図である。
【符号の説明】
【００４１】
１  設置アダプタ（設置部材）、１ａ  側壁部、１ｂ  段差、２  端末装置本体、３，６  ねじ穴、４  係合部（第１係合部）、５  係合部（第２係合部）、４ａ  突起部（第１係合部）、７  突起部（第２係合部）、８  ねじ、９  孔部（収納部）、９ａ  孔部（嵌合孔部）、９ｂ  孔部（挿入孔部）、９ｃ  底面部、１０  係合孔、１０ａ，１０ｂ，１０ｃ  縁部、１１  凸部。
【図１】
2007122619.tif 000003
【図２】
2007122619.tif 000004
【図３】
2007122619.tif 000005
【図４】
2007122619.tif 000006
【図５】
2007122619.tif 000007
【図６】
2007122619.tif 000008
【図７】
2007122619.tif 000009
【図８】
2007122619.tif 000010
【図９】
2007122619.tif 000011
【図１０】
2007122619.tif 000012
【図１１】
2007122619.tif 000013
【図１２】
2007122619.tif 000014
【図１３】
2007122619.tif 000015
【図１４】
2007122619.tif 000016